(57)【要約】【課題】  シャチ、イルカ等によっては簡単に取り外せないようにし、取り付けた餌材を効率的に利用して所定の漁獲量を確保できるようにする。【解決手段】  吊り餌となる餌材Ｆ内に差し込み、挿通する釣り針本体１の上端に釣り糸となる延縄における枝縄Ｌに連繋する連繋部２を設ける。釣り針本体１の下部には、餌材Ｆを取り付ける取付部３を形成し、この取付部３は、餌材Ｆのほぼ中央部位に強制的に挿入し、食い込ませる突部４Ａにて抜脱を阻止した主針部４と、餌材Ｆの左右両脇部位に同様に強制的に挿入し、食い込ませる突部５Ａにて抜脱を阻止した左右で一対の副針部５とを備える。取付部３自体は平面から見て三つ又状に分岐しており、左右の副針部５の拡開角度は約２０度程度とする。【選択図】      図１
0003115563.tif 000002
【実用新案登録請求の範囲】
【請求項１】
餌材内に差し込み、上部の連繋部が餌材から突出されて挿通されるよう形成した釣り針本体の下部に取付部を形成し、この取付部は、餌材のほぼ中央後方部位に強制的に挿入され、食い込ませられて突部にて抜脱が阻止されるようになっている主針部と、餌材の左右両脇部位に同様に強制的に挿入され、食い込ませられて突部にて抜脱が阻止されるようになっている左右で一対の副針部とを備えていることを特徴とするマグロ釣り用の釣り針。
【請求項２】
取付部自体は平面から見て三つ又状に分岐されており、主針部は餌材の後方側部位に位置して差し込まれる一方、左右の副針部は餌材の前方側部位の左右に位置して差し込まれて、その拡開角度は約２０度程度としてある請求項１に記載のマグロ釣り用の釣り針。
【請求項３】
餌材内に差し込み、上部の連繋部が餌材から突出されて挿通されるよう形成した釣り針本体の下部に取付部を形成し、この取付部は、餌材のほぼ中央後方部位に強制的に挿入され、食い込ませられて突部にて抜脱が阻止されるようになっている主針部と、餌材のほぼ中央前方部位に強制的に挿入され、食い込ませられて突部にて抜脱が阻止されるようになっている副針部とで二股状に形成されていることを特徴とするマグロ釣り用の釣り針。
【考案の詳細な説明】
【技術分野】
【０００１】
この考案は主としてマグロ延縄漁法において海中に投下使用されるマグロ釣り用の釣り針に関する。
【背景技術】
【０００２】
従来からマグロを釣り上げるために行われているマグロ延縄漁法においては、浮きによって吊り上げられている親釣り糸（幹縄）に多数の子釣り糸（枝縄）を分岐状態に支持し、その子釣り糸夫々に取り付けた釣り針に餌となるアジ、サバ等を取り付けている。
【０００３】
このとき使用されている従来の釣り針は、例えば、餌を引っ掛けられるようにほぼＵ字状に折曲され、後端は子釣り糸に連繋される連繋部を備え、前端は餌内に食い込み状となるように鋭利に形成した先端と逆止め用の突部とを有している。そして、この釣り針の前端を餌に差し入れることで餌を固定支持し、後端の連繋部にて枝縄に連結している。
【特許文献１】特になし
【考案の開示】
【考案が解決しようとする課題】
【０００４】
ところがこのような従来の釣り針によって餌を取り付け、マグロを釣り上げるために漁場において海中に投下すると、近海を浮遊しているシャチ、イルカ等が餌を狙い、餌だけを釣り針から外し取ることが度々あり、その被害は甚大なものとなることもある。
【０００５】
そこでこの考案は叙上のような従来存した諸事情に鑑み案出されたもので、シャチ、イルカ等によっては簡単に取り外せないようにし、取り付けた餌材を効率的に利用して所定の漁獲量を確保できるようにしたマグロ釣り用の釣り針を提供することを目的とする。
【課題を解決するための手段】
【０００６】
上述した課題を解決するため、この考案にあっては、餌材Ｆ内に差し込み、上部の連繋部２が餌材Ｆから突出されて挿通されるよう形成した釣り針本体１の下部に取付部３を形成し、この取付部３は、餌材Ｆのほぼ中央後方部位に強制的に挿入され、食い込ませられて突部４Ａにて抜脱が阻止されるようになっている主針部４と、餌材Ｆの左右両脇部位に同様に強制的に挿入され、食い込ませられて突部５Ａにて抜脱が阻止されるようになっている左右で一対の副針部５とを備えているものである。
取付部３自体は平面から見て三つ又状に分岐されており、主針部４は餌材Ｆの後方側部位に位置して差し込まれる一方、左右の副針部５は餌材Ｆの前方側部位の左右に位置して差し込まれて、その拡開角度は約２０度程度として構成することができる。
また、餌材Ｆ内に差し込み、上部の連繋部２が餌材Ｆから突出されて挿通されるよう形成した釣り針本体１の下部に取付部３を形成し、この取付部３は、餌材Ｆのほぼ中央後方部位に強制的に挿入され、食い込ませられて突部４Ａにて抜脱が阻止されるようになっている主針部４と、餌材Ｆのほぼ中央前方部位に強制的に挿入され、食い込ませられて突部５Ａにて抜脱が阻止されるようになっている副針部５とで二股状に形成されているものである。
【０００７】
以上のように構成されたこの考案に係るマグロ釣り用の釣り針にあって、釣り針本体１にて餌材Ｆに挿通させることで餌材Ｆから突出される連繋部２は、延縄網における枝縄Ｌに連結されることで餌材Ｆを枝縄Ｌに支持させる。
釣り針本体１における下部の取付部３は、釣り針本体１が餌材Ｆに挿通されるとき、餌材Ｆの後方側部分に主針部４が、前方側部分に副針部５が夫々食い込まれ、餌材Ｆをしっかりと支持する。
このとき、三つ又状になっている取付部３においての対状の副針部５は、餌材Ｆの前方側左右部分である両脇に夫々食い込み、餌材Ｆを一層しっかりと支持固定することで、取り付けられた餌材Ｆは波、海流更には例えばシャチ、イルカ等による食い付きその他の外部からの衝撃、振動その他によっても容易に離脱されない。
【考案の効果】
【０００８】
この考案は以上説明したように構成されているため、例えば漁場及びその付近等で遊弋するシャチ、イルカ等が餌材Ｆに食い付き、餌材Ｆのみを取り外そうとしても簡単に取り外すことができず、逆に傷を負うことにもなり、また取り付けた餌材Ｆが簡単には紛失しないことでこれらを効率的に利用できるものとなり、所定の漁獲量を確保するのに役立つものである。
【０００９】
すなわちこれはこの考案において、餌材Ｆ内に貫挿され、上部の連繋部２が餌材Ｆから突出する釣り針本体１の下部に取付部３を形成し、この取付部３には、餌材Ｆのほぼ中央後方部位に挿入されて抜脱されない主針部４と、餌材Ｆの前方部位に１本であるいは左右両脇部位に挿入されて抜脱されない対状の副針部５とを備えているものとしたからであり、これによって、餌材Ｆを例えば前後に長いほぼ水平状にして枝縄Ｌにあたかも遊弋状態で取り付けでき、しかもシャチ、イルカ等の食い付きによっても簡単には取り外せずにしっかりと支持できる。
【００１０】
また、取付部３自体は平面から見て三つ又状に分岐され、主針部４は餌材Ｆの後方側部位に、左右の副針部５は餌材Ｆの前方側部位の左右に夫々位置して差し込まれるから、餌材Ｆをその下方から３点で支持することになって、その支持状態は安定している。更に左右の副針部５相互の拡開角度は約２０度程度としてあるから、餌材Ｆの前方側左右の脇部分に食い込むことでしっかりと支持し、一層、その支持を安定化させることができる。
【００１１】
あるいは二股状に分岐されている取付部３においては、餌材Ｆの前後方部位を主針部４、副針部５夫々で食い込み状に差し込まれることで餌材Ｆを支持しており、餌材Ｆとの取り付け、支持作業を簡単に行え、取り付け支持作業を能率的に遂行できる。
【００１２】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１３】
以下図面を参照してこの考案を実施するための最良の一形態を説明すると、図において示される符号１はサバ、イワシ、アジ、イカ等の吊り餌となる餌材Ｆ内に差し込み、上部が餌材Ｆから突出されて挿通される釣り針本体であり、上部には釣り糸となる延縄における枝縄Ｌに連繋させる連繋部２を備えている。
【００１４】
また、この釣り針本体１の下部には、餌材Ｆ内に差し込まれ、餌材Ｆに取り付けられる取付部３が形成されており、この取付部３は、餌材Ｆのほぼ中央後方部位に強制的に挿入され、食い込ませられて突部４Ａにて抜脱が阻止されるようになっている主針部４と、餌材Ｆの左右両脇部位に同様に強制的に挿入され、食い込ませられて突部５Ａにて抜脱が阻止されるようになっている左右で一対の副針部５とを備えている。取付部３自体は平面から見て三つ又状に分岐されており、主針部４は餌材Ｆに対してその後方側部位の例えば魚体の中央線上に位置して差し込まれるものとされ、左右の副針部５は餌材Ｆの前方側部位の左右に位置して差し込まれるものとされ、例えばその拡開角度は約２０度程度、場合によっては必要があれば１０度から４５度程度までとされる。
【００１５】
取付部３における主針部４、副針部５夫々は釣り針本体１に対して反り返えることでほぼ並行状に成っており、釣り針本体１が餌材Ｆの上方に突出する長さに設定されているのに対し、取付部３自体は餌材Ｆ内からは突出しない程度の長さに設定される。また、主針部４、副針部５夫々の突部４Ａ，５Ａは、従来の釣り針における逆止め用の突部と基本的には変わりなく、餌材Ｆに対する釣り針本体１の差し込みに伴い餌材Ｆ内に一旦は差し込まれると容易には抜脱させないようにしている。
【００１６】
また、連繋部２には枝縄Ｌとの連繋を円滑にし、また連繋後は容易に脱離することがないようにワンタッチ式に着脱ができる連繋リング１０が付設されている。この連繋リング１０は、一部が切り欠かれたほぼＣ状を呈する空洞状のリング本体１１と、このリング本体１１における切欠端のいずれか一方に弾発的に出没・スライド自在にすることで切欠部分を閉塞し、全体を閉塞されたループと成すよう、操作ピン１３を付設した閉塞アーム１２とを備えて成る。そして、操作ピン１３による円弧状のスライド操作によってリング本体１１を開閉することで、枝縄Ｌと釣り針本体１とを確実、簡単に連繋できるようにしてある。尚、この連繋リング１０は上述した構成に限らず種々に変更でき、例えば図４に示すように所定形状の閉塞されたループ体２１の一部を揺動自在な閉塞アーム２２となし、弾発的に内方側に退避することで開閉するようになっていたり、その退避する閉塞アーム２２部分をスライドするネジ筒によって固定したり等のカラビナ構造のものとすることもできる。
【００１７】
次にこれの使用の一例を説明すると、例えばサバ、イワシ、アジ等の魚体を餌材Ｆとするとき、図２に示すように餌材Ｆの下方から釣り針本体１にてその連繋部２側から強制的に差し込むと共に、取付部３の主針部４を餌材Ｆの後方側部分に、また副針部５を餌材Ｆの前方側左右脇部分に夫々差し込み、釣り針本体１の上端を餌材Ｆの上方に突出させる。次いで、この突出した連繋部２を釣り糸である枝縄Ｌに連繋するのであり、同様に他の釣り針にも餌材Ｆを取り付け、漁場において海中に投入するのである。
【００１８】
また、図４には別の実施の形態が示されている。この実施の形態においては、取付部３を平面から見て餌材Ｆの前後に沿って長く配置される二股状に形成したものである。すなわち取付部３は、餌材Ｆのほぼ中央後方部位に強制的に挿入され、食い込ませられて突部４Ａにて抜脱が阻止されるようになっている主針部４と、餌材Ｆのほぼ中央前方部位に強制的に挿入され、食い込ませられて突部５Ａにて抜脱が阻止されるようになっている副針部５とで二股状に形成されている。尚、主針部４は副針部５に比し、例えば１０ｍｍ程度で長く形成されており、餌材Ｆにおける後方部位を前方部位に比し安定して支持できるように配慮してある。
【００１９】
この実施の形態における使用は、先の実施の形態におけるものと同様であるので、その詳細は省略する。
【図面の簡単な説明】
【００２０】
【図１】この考案を実施するための最良の形態を示す斜視図である。
【図２】同じく餌材を取り付けた状態の側面図である。
【図３】同じく平面図である。
【図４】別の実施の形態を示す斜視図である。
【符号の説明】
【００２１】
Ｆ…餌材                                Ｌ…枝縄
１…釣り針本体                          ２…連繋部
３…取付部                              ４…主針部
４Ａ…突部                              ５…副針部
５Ａ…突部
１０…連繋リング                        １１…リング本体
１２…閉塞アーム                        １３…操作ピン
２１…ループ体                          ２２…閉塞アーム
【図１】
0003115563.tif 000003
【図２】
0003115563.tif 000004
【図３】
0003115563.tif 000005
【図４】
0003115563.tif 000006